(57)【要約】【課題】シールド板を筐体に固定する際、ビス等の部品点数の増加や、製造工程の増加を抑制し、製造コストを抑制しつつ、シールド板を固定することができる、表示装置を提供することにある。【解決手段】シールド板６は両側部が折り曲げられた折り曲げ部３０，３１が形成されている。開口部３２，３３が、折り曲げ位置に形成されており、折り曲げ部３０，３１は、開口部３８〜４１が形成されている。シールド板６の取り付け状態で、開口部３２，３３は、開口部７の左辺及び右辺に立設している保持部材１６，１７に形成されている鉤部１６ａ，１７ａに係止されている。また、開口部３８〜４１は、リブ部材１４，１５の外側に形成されている鉤部２２〜２５に係止されている。【選択図】図１０
2009134048.tif 000002
【特許請求の範囲】
【請求項１】
矩形状の液晶パネル及び当該液晶パネルの裏面に配置されている保持板を保持したフロントカバーにリアカバーを取り付けることにより構成されている表示装置において、
前記保持板は、両側部が前記液晶パネルの両端部に向かって、折り曲げられている折り曲げ部及び折り曲げ位置に形成した第１の開口部を有する形状であり、
前記フロントカバーは、前記液晶パネルに向かって突出した第１の鉤部を形成した第１の保持部材が、当該液晶パネルの両端部に立設されており、当該第1の保持部材で挟持して液晶パネルを保持し、
前記フロントカバーに前記液晶パネル及び前記保持板の取り付け状態で、前記保持板は、前記第1の開口部に前記第1の保持部材が入り込む形状である、表示装置。
【請求項２】
前記折り曲げ部の先端は、一部が切欠かれた突起形状であり、
前記フロントカバーは、前記突起形状に嵌合する形状である第１のリブが形成されており、
前記フロントカバーに前記液晶パネル及び保持板を取り付けた状態で、前記突起形状が前記第１のリブに嵌合する形状である、請求項１に記載の表示装置。
【請求項３】
前記フロントカバーは、前記保持板を保持する第２の鉤部が形成されている第２の保持部材が立設されており、
前記フロントカバーに前記液晶パネル及び前記保持板を取り付けた状態で、前記保持板に形成されている前記折り曲げ部は前記第２の鉤部に対向する位置に第２の開口部が形成されている、請求項１または２に記載の表示装置。
【請求項４】
前記保持板は、導電性材料で形成されている、請求項１〜３の何れかに記載の表示装置。
【請求項５】
前記フロントカバーに前記リアカバーを取り付けた状態で、前記フロントカバーの保持部材の外側面に対向する第２のリブが形成されている、請求項１〜４の何れかに記載の表示装置。
【発明の詳細な説明】
【技術分野】
【０００１】
本発明は、筐体内部に矩形状の液晶パネル及びこの液晶パネルの裏面に配置されている保持板を収納する収納部を有する表示装置に関する。
【背景技術】
【０００２】
従来、ＰＮＤ（Personal Navigation System）やカーナビゲーションシステム等の表示装置は、フロントカバー及びリアカバーが着脱自在に構成されている筐体を有し、この筐体内部の収納部に液晶パネル及びシールド板を収納している。このとき、液晶パネルはフロントカバーに立設している保持部材により保持され、シールド板はビス等によりフロントカバーに固定されて、収納部に収納されている。
【０００３】
また、特許文献１では、フロントカバーはリアカバーに向けて突出する突起部が形成され、シールド枠は、突起部が挿入される孔部が形成され、この孔部に挿入された突起部を押圧しつつ突起部の挿入によりリアカバーに向かって変形するフック部が形成され、リアカバーは、フック部を係止する凹部が形成されている、表示装置が開示されている。
【特許文献１】特開２００１−３０５９８５号公報
【発明の開示】
【発明が解決しようとする課題】
【０００４】
しかしながら、従来の表示装置は、シールド板をビス等により固定していたため、部品点数が増加し、製造コストが嵩んでしまう。また、特許文献１の表示装置では、リアカバーに形成されている凹部、シールド枠に形成されているフック部、フロントカバーに形成されている突起部の其々の位置決めを行なう必要があり、製造工程が増加してしまい、製造コストが嵩んでしまう。
【０００５】
そこで、本発明の目的は、上記問題に鑑み、シールド板を筐体に固定する際、ビス等による固定に伴う部品点数の増加や、フロントカバー、リアカバー、シールド板の位置決めに伴う製造工程の増加を抑制し、製造コストを抑制した、表示装置を提供することにある。
【課題を解決するための手段】
【０００６】
上記課題を解決するために、本発明は以下の通り構成される。
【０００７】
矩形状の液晶パネル及び当該液晶パネルの裏面に配置されている保持板を保持したフロントカバーにリアカバーを取り付けることにより構成されている。保持板は、両側部が液晶パネルの両端部に向かって、折り曲げられている折り曲げ部及び折り曲げ位置に形成した第１の開口部を有する形状である。フロントカバーは、液晶パネルに向かって突出した第１の鉤部を形成した第１の保持部材が、液晶パネルの両端部に立設されており、第1の保持部材で挟持して液晶パネルを保持している。フロントカバーに前記液晶パネル及び前記保持板の取り付け状態で、前記保持板は、前記第1の開口部に前記第1の保持部材が入り込む形状である。
【０００８】
こうすることにより、保持板が液晶パネルをフロントカバーに固定する。そして、この保持板は第１の保持部材により固定されるため、保持板をビス等で固定する必要がなくなり、部品点数を抑制することができ、製造コストが抑制される。また、フロントカバーが保持板及び液晶パネルを保持しているため、保持板を固定するリアカバーの位置決めを行なう必要がなくなり、製造工程を減少させることができる。したがって、製造コストが抑制される。
【発明の効果】
【０００９】
部品点数及び製造工程が減少するため、製造コストが抑制される。
【発明を実施するための最良の形態】
【００１０】
以下、本発明を詳細に説明していく。
【００１１】
図１は、本実施形態であるＰＮＤ（personal navigation device）の外観図である。ＰＮＤ１は、樹脂等で形成されているフロントカバー２をリアカバー２に取り付けられており、フロントカバー２及びリアカバー３が筐体４を構成している。筐体４は、内部に収納部を有しており、矩形状の液晶パネル５及び導電性金属材料で形成されているシールド板６が収納部に収納されている。液晶パネル５及びシールド板６はフロントカバー２に保持された状態で収納部に収納されている。なお、液晶パネル５の表示面前面にユーザが入力操作を行うためのタッチパネルを設けても良いし、筐体４にユーザがキー操作を行うような操作キー等を設けても良い。
【００１２】
また、本実施形態では、シールド板が本発明における保持板に相当する。
【００１３】
開口部７がフロントカバー２の前面中央部に形成されており、開口部７は筐体４に収納されている液晶パネル５の面積よりも若干小さい面積を持つ矩形状をしている。液晶パネル５の表示面が開口部７に配置されるように、液晶パネル５が筐体４の収納部に収納されている。フロントカバー２及びリアカバー３の形状の詳細は後述する。
【００１４】
なお、本実施形態では、開口部７は、フロントカバー２の上部側よりであるが、フロントカバー２の下部側よりであっても良い。
【００１５】
図２は、図１におけるＡＡ’断面の断面図の概略図である。図２では、切断面の断面表記を省略している。ＰＮＤ１は、フロントカバー２が液晶パネル５及びシールド板６を保持している。そして、フロントカバー２にリアカバー３を取り付けることで、筐体４を構成している。
【００１６】
以下、フロントカバー２及びリアカバー３の収納部側の形状について詳細に説明していく。
【００１７】
図３は、フロントカバー２の収納部側の外観図であり、
フロントカバー２は、液晶パネル５を筐体４内部に受け止めておく受部材１０〜１３が開口部７の周囲に形成されている。受部材１０は開口部７の上辺に、受部材１１は開口部７の下辺に、受部材１２は開口部７の左辺に、受部材１３は開口部７の右辺に其々形成されている。受部材１０〜１３は液晶パネル５が開口部７から脱落することを防止している。
【００１８】
フロントカバー２は、液晶パネル５の左右方向の位置決めを行なうリブ部材１４，１５が開口部７の左辺及び右辺に立設している。リブ部材１４は、受部材１２が形成されている開口部７の左辺側に、リブ部材１５は受部材１３が形成されている開口部７の右辺側に、其々立設している。また、リブ部材１４，１５は開口部７の左辺及び右辺に立設している保持部材１６，１７をコの字上に囲んで立設している。リブ部材１４，１５は、シールド板６を保持するための鉤部２２〜２７が形成されている。鉤部２２〜２５は、リブ部材１４，１５の液晶パネル５とは対向しない面である外側の面に形成され、鉤部２６，２７は、リブ部材の上部に形成されている。鉤部２２〜２５は、後述するシールド板６の折り曲げ部３０，３１に形成されている開口部３８〜４１を其々係止することで、シールド板６を保持している。また、コの字形状をしたリブ２８，２９が鉤部２２〜２５が形成されている側の開口部７の上辺側に形成され、後述するシールド板６の折り曲げ部３０，３１が入り込む。折り曲げ部３０，３１に形成されている突起部３４，３５がリブ２８，２９に入り込むことで、シールド板６の位置決めを容易に行なうことができる。
【００１９】
なお、本実施形態では、リブ部材１４，１５が本発明における第２の保持部材に相当する。また、鉤部２２〜２５が本発明における第２の鉤部に相当する。また、リブ２８，２９が本発明における第１のリブに相当する。
【００２０】
フロントカバー２は、開口部７の上辺に保持部材１８，１９が立設している。保持部材１８はリブ部材１４の端部に一体形成され、保持部材１９はリブ部材１５の端部に一体形成されている。保持部材１８の上端部は、鉤部１８ａが形成され、保持部材１９の上端部は鉤部１９ａが形成されている。保持部材１８，１９は弾性力が弱くバネ性が無い保持部材である。
【００２１】
フロントカバー２は、開口部７の下辺に保持部材２０，２１が立設している。保持部材２０，２１はリブ部材１４，１５に一体形成されていない。保持部材２０は、上端部２０ｂとフロントカバー２との中間位置に液晶パネル５に向かって、鉤部２１ａが突出して形成されている。また、保持部材２１は上端部２１ｂとフロントカバー２との中間位置に液晶パネル５に向かって、鉤部２１ａが突出して形成されている。保持部材２０，２１は弾性力が保持部材１８，１９よりも強くバネ性がある保持部材である。
【００２２】
保持部材１８〜２１が液晶パネル５を係止することで、液晶パネル５はフロントカバー２に保持されている。
【００２３】
フロントカバー２は、開口部７の左辺に保持部材１６が立設している。保持部材１６は上端部に鉤部１６ａが形成されている。保持部材１６は保持部材１８，１９同様弾性力が弱くバネ性がない保持部材である。また、フロントカバー２は、開口部７の右辺に保持部材１７が立設している。保持部材１７は上端部１７ｂとフロントカバー２との中間位置に液晶パネル５に向かって鉤部１７ａが突出している。保持部材１７は、保持部材１６よりも弾性力が強くバネ性がある保持部材である。
【００２４】
なお、本実施形態では、保持部材１６，１７が本発明における第１の保持部材に相当する。また、鉤部１６，１７ａが本発明における第１の鉤部に相当する。また、本実施形態での弾性力の違いは形状の違いによるものである。具体的には、弾性力が強い保持部材１７，２０，２１は厚さが薄く、弾性力が弱い保持部材１６，１８，１９は厚さが厚い形状である。
【００２５】
保持部材１６，１７が液晶パネル５の左辺及び右辺を挟持し、保持部材１６，１７に形成されている鉤部１６ａ，１７ａが液晶パネル５を係止することで、液晶パネル５はフロントカバー２に保持されている。また、保持部材１６，１７は、後述するシールド板６の左辺及び右辺を挟持し、保持部材１６，１７に形成されている鉤部１６ａ，１７ａがシールド板６と折り曲げ部３４，３５の折り曲げ位置に形成されている開口部３２，３３を係止することで、シールド板６はフロントカバー２に保持されている。
【００２６】
このように、保持部材１６〜２１により保持されている液晶パネル５は保持部材１６，１７で保持されているシールド板６によりフロントカバー２に保持されている。
【００２７】
なお、本実施形態では、開口部７の上辺及び下辺に形成されている保持部材は同数であるが、保持部材の数が異なっていても良い。例えば、上辺が１つで下辺が２つでも良いし、上辺が３つで下辺が２つであっても良い。また、開口部７の上下左右の各辺に保持部材が形成されているが、上辺及び下辺、あるいは左辺及び右辺、の其々だけに保持部材が形成されていても良い。
【００２８】
図４は、シールド板６の外観図である。
【００２９】
シールド板６は、両側部が折り曲げられた折り曲げ部３０，３１が形成されている。この折り曲げ部３０，３１の折り曲げ位置は、開口部３２，３３，３６、３７が其々形成されており、開口部３２、３３は開口部７に立設している保持部材１６，１７が貫通する形状になっている。そして、シールド板６は、保持部材１６，１７に形成されている鉤部１６ａ，１７ａにより係止される。この開口部３２，３３により、シールド板６は横方向の動きが抑制される。また、開口部３６，３７は、リブ部材の上部に立設している鉤部２６，２７に嵌合する。こうすることにより、よりシールド板６は横方向の動きが抑制される。
【００３０】
なお、本実施形態では、開口部３２，３３が本発明における第１の開口部に相当する。
【００３１】
折り曲げ部３０，３１は先端部分の一部が切欠かれ、突起部３４，３５が形成されている。この突起部３４，３５は、其々フロントカバー２に形成されているリブ２８，２９に入り込む。また、折り曲げ部３０，３１は、開口部３８〜４１が形成されており、この開口部３８〜４１はリブ部材１４，１５に形成されている鉤部２２〜２５により係止され、シールド６板は縦方向の動きが抑制される。
【００３２】
なお、本実施形態では、開口部３８〜４１が本発明における第２の開口部に相当する。
【００３３】
こうすることで、シールド板６をフロントカバー２に形成している保持部材１６，１７で固定することができるため、液晶パネル５をシールド板６で保持することができ、ビス等によりシールド板を固定する必要がなくなるため、部品点数の増加を抑えることができる。
【００３４】
図５は、リアカバー３の外観図である。
【００３５】
リアカバー３は、フロントカバー２に立設している弾性力が強くバネ性がある保持部材２０，２１に対向する位置にリブ５０〜５４が形成されている。リブ５０，５１は、保持部材２０に対向する位置に形成されており、リブ５０，５１は保持部材２０の上端部２０ｂの外側面に位置する。上端部２０ｂの外側面がリブ５０，５１に其々位置している。また、リブ５３は、保持部材２１に対向する位置に形成されている。このリブ５３も、リブ５０，５１と同様に保持部材２１の上端部２１ｂの外側面に位置する。
【００３６】
フロントカバー２及びリアカバー３が筐体４を構成しているとき、このリブ５０，５１に保持部材２０の上端部２０ｂの外側面が位置することによって、保持部材２０は固定される。また、リブ５２に保持部材２０の上端部２１ｂの外側面が位置することによって、保持部材２１は固定される。
【００３７】
このように、開口部７の下辺に形成されている弾性力が強くバネ性がある保持部材２０，２１がリアカバー３に形成されているリブ５０，５２に位置することにより固定されるので、外部からの衝撃が加わっても、液晶パネル５は保持されているのでより脱落しにくくなる。
【００３８】
また、リアカバー３は、開口部７の右辺側に立設している保持部材１７に対向する位置にリブ５３，５４が形成されている。リブ５３，５４は、リブ５０，５１と同様の形状をしており、フロントカバー２に形成されている保持部材１７の上端部１７ｂの外側面が入り込む形状している。フロントカバー２及びリアカバー３が筐体４を構成しているとき、このリブ５３，５４に保持部材１７の上端部１７ｂの外側面が位置することによって、保持部材１７は固定される。
【００３９】
なお、本実施形態では、リブ５３，５４が本発明における第２のリブに相当する。
【００４０】
このように、開口部７の下辺に形成されている保持部材２０，２１に加え、開口部７の右辺に形成されている弾性力が強くバネ性がある保持部材１７がリアカバー３に形成されているリブ５３，５４に対向する位置にあることによって、より強固に固定されるので、外部からの衝撃が加わっても、液晶パネル５及びシールド板６は保持されており、より脱落しにくくなる。
【００４１】
なお、本実施形態では、開口部７の上辺側に弾性力が弱くバネ性がない保持部材が立設し、開口部７の下辺側に弾性力が強くバネ性がある保持部材が立設しているが、上辺側に弾性力が強くバネ性がある保持部材が立設し、下辺側に弾性力が弱い保持部材が立設していても良い。また、開口部７の上辺及び下辺側に形成している保持部材がどちらとも弾性力が強くバネ性があっても良い。このとき、弾性力が強くバネ性がある保持部材は、上端部とフロントカバー２との中間位置に鉤部が形成されていれば良く、リアカバー３は、保持部材に対向する位置にリブが形成されていれば良い。
【００４２】
また、開口部７の左辺側に弾性力が弱くバネ性がない保持部材が立設し、開口部７の右辺側に弾性力が強くバネ性がある保持部材が立設しているが、左辺側に弾性力が強くバネ性がある保持部材が立設し、右辺側に弾性力が弱い保持部材が立設していても良い。また、開口部７の左辺及び右辺側に形成している保持部材がどちらとも弾性力が強くバネ性があっても良い。このとき、弾性力が強くバネ性がある保持部材は、上端部とフロントカバー２との中間位置に鉤部が形成されていれば良く、リアカバー３は、保持部材に対向する位置に上端部の外側面が位置するリブが形成されていれば良い。
【００４３】
また、シールド板６を保持している保持部材１６，１７は、開口部７の左辺及び右辺に立設しているが、上辺及び下辺に立設している保持部材１８〜２１がシールド板６を保持していても良い。この場合、シールド板の上辺及び下辺を折り曲げ、折り曲げ部を形成すればよい。また、折り曲げ部に形成している開口部の数は、適宜変更可能である。また、突起部３４，３５の形状は、リブ２８，２９の形状に合わせて適宜変更可能であるし、リブ２８，２９の形状を突起部３４，３５の形状に合わせても良い。
【００４４】
次に、液晶パネル５及びシールド板６のフロントカバー２への取り付け方法について説明する。
【００４５】
液晶パネル５は、フロントカバー２に立設しているリブ部材１４，１５に両側部が沿うように挿入して取り付ける。このとき、液晶パネル５は、開口部７の上辺に形成されている弾性力が弱くバネ性が無い保持部材１８，１９に挿入し、開口部７の左辺に形成されている弾性力が強くバネ性がない保持部材１６に挿入する。次に、開口部７の右辺に形成されている弾性力が強くバネ性がある保持部材１７、開口部７の下辺に形成されている弾性力が強くバネ性がある保持部材２０，２１を撓ませながら液晶パネル５を保持部材１６〜２１により保持する。
【００４６】
シールド板３は、折り曲げ部３０，３１の端部に形成されている突起部３４，３５をフロントカバー２に形成されている、リブ２８，２９に各々挿入する。そして、折り曲げ部３０，３１に形成されている開口部３８〜４１は、リブ部材１４，１５に形成されている鉤部２２〜２５に其々係止される。このとき、保持部材１６，１７が、シールド板３の折り曲げ位置に形成されている開口部３２，３３に嵌まり込む。そして、保持部材１６，１７に形成されている鉤部１６ａ，１７ａによりシールド板は係止される。
【００４７】
そして、リアカバー３を取り付ける。リアカバー３が取り付けられると、保持部材１７，２０，２１の其々の上端部１７ｂ，２０ｂ，２１ｂがリアカバー３に形成されているリブ２４〜２８に位置することで、保持部材１７，２０，２１の動きが抑制される。
【００４８】
このように、液晶パネル５は、フロントカバー２に形成されている保持部材１６〜２１で固定され、シールド板６は、フロントカバー２に形成されている保持部材１６，１７及びリブ部材１４，１５により固定される。そのため、シールド板６を保持するためのビス等の部品が不要になり部品点数の増加を抑制することができ、また、リアカバー３が液晶パネル５またはシールド板６を直接固定するわけではないので、リアカバー３の位置決めが不要になる。したがって、製造コストの増加を抑えることができる。また、シールド板６が液晶パネル５を保持しているため、リアカバー３の取り付け時に、位置決めを容易に行なうことができ、製造コストが抑制される。
【００４９】
図６は、フロントカバー２に液晶パネル５及びシールド板６を取り付けた時の、フロントカバー２を取り付け側から見た正面図である。
【００５０】
液晶パネル５は、保持部材１６〜２１に形成されている鉤部１６ａ〜２１ａにより係止され、１６〜２１により保持され、受部材１０〜１３が液晶パネル５の周囲を受け止め、リブ部材１４，１５が液晶パネル５の左右両辺を保持している。そのため、液晶パネル５は筐体４内に保持されている。液晶パネル５の裏面は、ＦＰＣ（Flexible printed circuits）３０が開口部７の下辺側に貼着されている。
【００５１】
シールド板６は、折り曲げ部３０，３１の折り曲げ位置に形成されている開口部３２，３３が保持部材１６，１７に形成されている鉤部１６ａ，１７ａにより係止され、保持部材１６，１７に保持されている。また、折り曲げ部３０，３１の上端部３４，３５がリブ２８，２９に嵌り合うことによって、折り曲げ部３０，３１が保持される。また、シールド板６は、リブ部材１４，１５に形成されている鉤部２２〜２５が、開口部３６〜３９を係止することで、保持されている。
【００５２】
図７は、図６におけるＡＡ’断面の断面図である。図７では、切断面の断面表記を省略している。シールド板６はハッチングで示されており、折り曲げ部３０の先端に形成されている突起部３４がフロントカバー２に形成されているリブ２８に入り込んでいる。折り曲げ部３０の折り曲げ位置に形成されている開口部３２は、開口部７の左辺に形成されている保持部材１６の上端部に形成されている鉤部１６ａにより係止されている。また、折り曲げ部３０の折り曲げ位置に形成されている開口部３６は、開口部７の左辺に形成されているリブ部材１４の上部に形成されている鉤部２６が嵌合している。また、折り曲げ部３０に形成されている開口部３８，３９は、リブ部材１４の外側面に形成されている鉤部２２，２３に係止されている。
【００５３】
図８は、図６におけるＢＢ’断面の断面図である。図８では、切断面の断面表記を省略している。シールド板６はハッチングで示されており、折り曲げ部３１の先端に形成されている突起部３５がフロントカバー２に形成されているリブ２９に入り込んでいる。折り曲げ部３１の折り曲げ位置に形成されている開口部３３は、開口部７の右辺に形成されている保持部材１７の上端部に形成されている鉤部１７ａにより係止されている。また、折り曲げ部３１の折り曲げ位置に形成されている開口部３７は、開口部７の右辺に形成されているリブ部材１５の上部に形成されている鉤部２７が嵌合している。また、折り曲げ部３１に形成されている開口部４０，４１は、リブ部材１５の外側面に形成されている鉤部２４，２５に係止されている。
【００５４】
図９は、図６におけるＣＣ’断面の断面図である。図９では、切断面の断面表記を省略している。シールド板６はハッチングで示されており、液晶パネル５の裏面に配置されている
図１０は、図６におけるＤＤ’断面の断面図である。図１０では、切断面の断面表記を省略している。図１１は、保持部材１７部分の部分拡大図であり、図１２は保持部材１６部分の部分拡大図である。
【００５５】
シールド板６は折り曲げ部３０，３１の折り曲げ位置に形成されている開口部３２，３３に保持部材１６，１７が貫通し、保持部材１６，１７にシールド板６に向けて突出している鉤部１６ａ，１７ａにより係止されている。保持部材１６が開口部３２に貫通しており、保持部材１６に形成されている鉤部１６ａがシールド板６に係止している。また、保持部材１７が開口部３２に貫通しており、保持部材１７に形成されている鉤部１７ａがシールド板６を係止している。
【００５６】
また、折り曲げ部３０，３１に形成されている開口部３８〜４１はリブ部材１４，１５に形成されている鉤部２２〜２５により其々係止されている。開口部３８はリブ部材１４に形成されている鉤部２２に係止され、開口部３９はリブ部材１４に形成されている鉤部２３に係止され、開口部４０はリブ部材１５に形成されている鉤部２４に係止され、開口部４１はリブ部材１５に形成されている鉤部２５に係止される。
【００５７】
こうすることにより、保持部材１６，１７がシールド板６を保持している。
【００５８】
次に、リアカバー３を取り付けた時の状態について説明する。
【００５９】
図１３は、フロントカバー２及びリアカバー３で筐体４を構成し、内部に液晶パネル５及びシールド板６を収納している時の平面図である。
【００６０】
図１４は、図１３におけるＡＡ’断面の断面図である。図１４では、切断面の断面表記を省略している。図１５は、保持部材１７部分の部分拡大図であり、図１６は保持部材１６部分の部分拡大図である。
【００６１】
フロントカバー２の開口部７の左辺及び右辺に立設している保持部材１６，１７のうち、鉤部が上端部とフロントカバー２との中間位置に形成されている保持部材１７は、上端部１７ｂがリアカバー３に形成されているリブ５３，５４に対向している。上端部１７ｂがリブ５３，５４に対向している位置にあることによって、上端部１７ｂの動きが抑制される。
【００６２】
また、リブ５０，５１は、開口部７の下辺に立設している保持部材２１の上端部２１ｂの外側面に対向する位置に配置される。リブ５２は、開口部７の下辺に立設している保持部材２０の上端部２１ｂの外側面に対向する位置に配置される。
【００６３】
なお、本実施形態では、ＰＮＤを例にしているが、それ以外の機器、例えば、プラズマテレビ、有機ＥＬテレビ、液晶テレビにも適用することができる。また、上端部及びリブの形状は、上端部がリブに対抗する位置に形勢されるなら、その形状は適宜変更可能である。
【００６４】
また、本実施形態では、保持部材１６，１７がシールド板６を保持しているが、シールド板６を保持せずに液晶パネル５だけを保持していても良い。
【図面の簡単な説明】
【００６５】
【図１】本実施形態であるＰＮＤ１の外観図である。
【図２】ＡＡ’断面における断面図である。
【図３】フロントカバーの外観図である。
【図４】シールド板の外観図である。
【図５】リアカバーの外観図である。
【図６】フロントカバーに液晶パネル及びシールド板を取り付けた状態での正面図である。
【図７】ＡＡ’断面での断面図である。
【図８】ＢＢ’断面での断面図である。
【図９】ＣＣ’断面での断面図である。
【図１０】ＤＤ’断面での断面図である。
【図１１】ＤＤ’断面での部分拡大図である。
【図１２】ＤＤ’断面での部分拡大図である。
【図１３】ＰＮＤの正面図である。
【図１４】ＡＡ’断面における断面図である。
【図１５】ＡＡ’断面における部分拡大図である。
【図１６】ＡＡ’断面における部分拡大図である。
【符号の説明】
【００６６】
１…ＰＮＤ
２…フロントカバー
３…リアカバー
４…筐体
５…液晶パネル
６…シールド板
７，３２，３３，３６〜４１…開口部
１０〜１３…受部材
１４，１５…リブ部材
１６〜２１…保持部材
１６ａ〜２１ａ，２２〜２７…鉤部
１７ｂ，２０ｂ，２１ｂ…上端部
２８，２９，５０〜５４…リブ
３０，３１…折り曲げ部
３４，３５…突起部
【図１】
2009134048.tif 000003
【図２】
2009134048.tif 000004
【図３】
2009134048.tif 000005
【図４】
2009134048.tif 000006
【図５】
2009134048.tif 000007
【図６】
2009134048.tif 000008
【図７】
2009134048.tif 000009
【図８】
2009134048.tif 000010
【図９】
2009134048.tif 000011
【図１０】
2009134048.tif 000012
【図１１】
2009134048.tif 000013
【図１２】
2009134048.tif 000014
【図１３】
2009134048.tif 000015
【図１４】
2009134048.tif 000016
【図１５】
2009134048.tif 000017
【図１６】
2009134048.tif 000018